(57)【要約】【課題】ネットワークに接続されたサーバの電源を切断する際に、クライアント端末のユーザの利便性を考慮しつつ、迅速な処理を行う。【解決手段】ネットワーク複合機１００は、電源切断指示受付部１１０がネットワーク複合機１００の電源切断の指示を受け付けると、ログイン情報記憶部１１８を参照して、ネットワーク３００を介してクライアント端末（２００、２０２）からログインしているユーザの有無を検出するシャットダウン制御部１０６と、ログイン中のユーザがいる場合、当該ユーザを特定する情報とともにシャットダウンの可否の問い合わせをディスプレイ１１４に表示し、シャットダウンの可否の指示を受け付ける確認処理部１０８とを含む。シャットダウン制御部１０６は、確認処理部１０８がシャットダウンが可能である指示を受け付けた場合に、ネットワーク複合機１００をシャットダウンする。【選択図】図１
2007288584.tif 000002
【特許請求の範囲】
【請求項１】
ネットワークに接続されたネットワーク複合機であって、
前記ネットワークを介してクライアント端末から当該ネットワーク複合機にログインしているユーザを特定する情報を記憶するログイン情報記憶部と、
当該ネットワーク複合機の電源切断指示を受け付ける電源切断指示受付部と、
前記電源切断指示受付部が電源切断の指示を受け付けると、前記ログイン情報記憶部を参照してログイン中のユーザの有無を検出し、ログイン中のユーザがいない場合に当該ネットワーク複合機をシャットダウンするシャットダウン制御部と、
ログイン中のユーザがいる場合、当該ユーザを特定する情報とともにシャットダウンの可否の問い合わせを所定のディスプレイに表示し、シャットダウンの可否の指示を受け付ける確認処理部と、を含み、
前記シャットダウン制御部は、前記確認処理部がシャットダウンが可能である指示を受け付けた場合に、当該ネットワーク複合機をシャットダウンするネットワーク複合機。
【請求項２】
請求項１に記載のネットワーク複合機において、
前記ログイン情報記憶部は、前記ユーザを特定する情報とともに、当該ユーザが利用している前記クライアント端末を示す情報を対応付けて記憶し、
前記確認処理部は、前記ユーザを特定する情報とともに、当該ユーザが利用している前記クライアント端末を示す情報を対応付けて前記ディスプレイに表示するネットワーク複合機。
【請求項３】
請求項１または２に記載のネットワーク複合機において、
前記ログイン情報記憶部は、前記ユーザを特定する情報とともに、当該ユーザが実行している処理の種類を対応付けて記憶し、
前記確認処理部は、前記ユーザを特定する情報とともに、当該ユーザが実行している処理の種類を前記ディスプレイに表示するネットワーク複合機。
【請求項４】
請求項１から３いずれかに記載のネットワーク複合機において、
前記クライアント端末から当該ネットワーク複合機に接続して行う処理の種類と、前記電源切断指示受付部が電源切断の指示を受け付けた場合の対処方法とを対応付けて記憶する対処方法記憶部をさらに含み、
前記ログイン情報記憶部は、前記ユーザを特定する情報とともに、当該ユーザが実行している処理の種類を対応付けて記憶し、
前記シャットダウン制御部は、前記問い合わせを前記ディスプレイに表示してから所定の時間内に前記確認処理部がシャットダウンが可能である指示を受け付けない場合に、前記対処方法記憶部を参照して、ログイン中のユーザが実行している処理の種類に応じて、対応する対処を行うネットワーク複合機。
【請求項５】
ネットワークに接続されたネットワーク複合機を、
前記ネットワークを介してクライアント端末から当該ネットワーク複合機にログインしているユーザを特定する情報を記憶するログイン情報記憶手段、
当該ネットワーク複合機の電源切断指示を受け付ける電源切断指示受付手段、
前記電源切断指示受付手段が電源切断の指示を受け付けると、前記ログイン情報記憶手段を参照してログイン中のユーザの有無を検出し、ログイン中のユーザがいない場合に当該ネットワーク複合機をシャットダウンするシャットダウン制御手段、
ログイン中のユーザがいる場合、当該ユーザを特定する情報とともにシャットダウンの可否の問い合わせを所定のディスプレイに表示し、シャットダウンの可否の指示を受け付ける確認処理手段、として機能させ、
前記シャットダウン制御手段が、前記確認処理手段がシャットダウンが可能である指示を受け付けた場合に、当該ネットワーク複合機をシャットダウンするようにするプログラム。
【発明の詳細な説明】
【技術分野】
【０００１】
本発明は、ネットワーク複合機に関する。
【背景技術】
【０００２】
近年、ネットワークファクシミリ機能に加えて、ネットワークプリンタ機能やネットワークスキャナ機能等を備えたＭＦＰ（Multi Functional Peripheral）等のネットワーク複合機が開発されている。このようなネットワーク複合機には、ＬＡＮ等のネットワークを介して接続されたクライアントＰＣ等のサーバとして機能する構成を有するものもある。このような構成において、クライアントＰＣからネットワーク複合機の機器設定を行ったり、ファクシミリやメールの送受信データの一覧や内容を閲覧したり、または画像ファイル等を取り込むことができるようになっている。しかし、ユーザがクライアントＰＣからネットワーク複合機に接続して作業を行っている際にネットワーク複合機をシャットダウンすると、作業が中断されたり作成中のデータを紛失してしまうということがあった。
【０００３】
特許文献１には、クライアントシステムからログインされると、そのログインユーザ名等が記録される磁気ディスクの内容を調べ、ログインユーザ名等がすべて消去されるのを確認した後に、電気切断回路に電源を切断させるようにしたコンピュータネットワークシステムの電源切断機構が開示されている。
【特許文献１】特開平８−２６３１７８号公報
【発明の開示】
【発明が解決しようとする課題】
【０００４】
しかし、特許文献１に記載の技術では、クライアントがログアウトするまでサーバシステムの電源を切断できないという問題があった。
【０００５】
本発明は上記事情に鑑みてなされたものであり、その目的とするところは、ネットワークに接続されたサーバの電源を切断する際に、クライアント端末のユーザの利便性を考慮しつつ、迅速な処理を行う技術を提供することにある。
【課題を解決するための手段】
【０００６】
本発明によれば、
ネットワークに接続されたネットワーク複合機であって、
前記ネットワークを介してクライアント端末から当該ネットワーク複合機にログインしているユーザを特定する情報を記憶するログイン情報記憶部と、
当該ネットワーク複合機の電源切断指示を受け付ける電源切断指示受付部と、
前記電源切断指示受付部が電源切断の指示を受け付けると、前記ログイン情報記憶部を参照してログイン中のユーザの有無を検出し、ログイン中のユーザがいない場合に当該ネットワーク複合機をシャットダウンするシャットダウン制御部と、
ログイン中のユーザがいる場合、当該ユーザを特定する情報とともにシャットダウンの可否の問い合わせを所定のディスプレイに表示し、シャットダウンの可否の指示を受け付ける確認処理部と、を含み、
前記シャットダウン制御部は、前記確認処理部がシャットダウンが可能である指示を受け付けた場合に、当該ネットワーク複合機をシャットダウンするネットワーク複合機が提供される。
【０００７】
ここで、電源切断指示受付部は、ネットワーク複合機の操作部を介して電源切断指示を受け付けることもでき、ネットワークを介して他の端末から電源切断指示を受け付けることもできる。確認処理部は、電源切断指示受付部がネットワーク複合機の操作部を介して電源切断指示を受け付けた場合、ユーザを特定する情報とシャットダウンの可否の問い合わせとをネットワーク複合機のディスプレイに表示することができる。また、確認処理部は、電源切断指示受付部がネットワークを介して他の端末から電源切断指示を受け付けた場合、ユーザを特定する情報とシャットダウンの可否の問い合わせとを当該他の端末のディスプレイに表示することができる。
【０００８】
本発明のネットワーク複合機によれば、ネットワーク複合機のシャットダウン時にログイン中のユーザがいる場合でも、電源切断指示を行ったユーザに所定の情報を提示して、シャットダウンの可否を確認する。そのため、電源切断指示を行ったユーザがクライアント端末のユーザに応じて、シャットダウンの可否を判断することができる。これにより、ネットワークに接続されたサーバの電源を切断する際に、クライアント端末のユーザの利便性を考慮しつつ、迅速な処理を行うことができる。
【０００９】
本発明のネットワーク複合機において、前記ログイン情報記憶部は、前記ユーザを特定する情報とともに、当該ユーザが利用している前記クライアント端末を示す情報を対応付けて記憶することができ、前記確認処理部は、前記ユーザを特定する情報とともに、当該ユーザが利用している前記クライアント端末を示す情報を対応付けて前記ディスプレイに表示することができる。
【００１０】
これにより、ログイン中のユーザが利用しているクライアント端末を把握することができ、電源切断指示を行ったユーザが必要に応じて、対応するクライアント端末に切断可否を問い合わせること等ができる。
【００１１】
本発明のネットワーク複合機において、前記ログイン情報記憶部は、前記ユーザを特定する情報とともに、当該ユーザが実行している処理の種類を対応付けて記憶することができ、前記確認処理部は、前記ユーザを特定する情報とともに、当該ユーザが実行している処理の種類を前記ディスプレイに表示することができる。
【００１２】
これにより、電源切断指示を行ったユーザが、処理の種類に応じて切断可否を判断することができる。
【００１３】
本発明のネットワーク複合機は、前記クライアント端末から当該ネットワーク複合機に接続して行う処理の種類と、前記電源切断指示受付部が電源切断の指示を受け付けた場合の対処方法とを対応付けて記憶する対処方法記憶部をさらに含むことができ、前記ログイン情報記憶部は、前記ユーザを特定する情報とともに、当該ユーザが実行している処理の種類を対応付けて記憶することができ、前記シャットダウン制御部は、前記問い合わせを前記ディスプレイに表示してから所定の時間内に前記確認処理部がシャットダウンが可能である指示を受け付けない場合に、前記対処方法記憶部を参照して、ログイン中のユーザが実行している処理の種類に応じて、対応する対処を行うことができる。
【００１４】
これにより、ログイン中のユーザが実行中の処理の種類に応じて切断可否を決定することができる。
【００１５】
なお、以上の構成要素の任意の組合せ、本発明の表現を方法、装置、システム、記録媒体、コンピュータプログラムなどの間で変換したものもまた、本発明の態様として有効である。
【発明の効果】
【００１６】
本発明によれば、ネットワークに接続されたサーバの電源を切断する際に、クライアント端末のユーザの利便性を考慮しつつ、迅速な処理を行うことができる。
【発明を実施するための最良の形態】
【００１７】
以下、本発明の実施の形態について、図面を用いて説明する。尚、すべての図面において、同様な構成要素には同様の符号を付し、適宜説明を省略する。
【００１８】
（第１の実施の形態）
図１は、本実施の形態におけるネットワーク複合機の構成を示すブロック図である。
ネットワーク複合機１００は、たとえば、ファクシミリ送受信機能、スキャナ機能、およびプリンタ機能、文書管理機能等を有するネットワークファクシミリ装置やＭＦＰ（Multi Functional Peripheral）等とすることができる。また、ネットワーク複合機１００は、ＨＴＴＰ（Hyper Text Transfer Protocol）サーバ機能を有する構成とすることができる。ネットワーク複合機１００は、ネットワーク３００に接続されたクライアントＰＣ２００やクライアントＰＣ２０２等のサーバとして機能する。ネットワーク複合機１００は、クライアントＰＣに、ファクシミリやメールの送受信データの一覧や内容を送信したり、または画像ファイル等を送信することができるようになっている。また、ネットワーク複合機１００は、クライアントＰＣから自端末の機器設定を受け付け可能に構成されている。
【００１９】
クライアントＰＣ２００やクライアントＰＣ２０２は、たとえばパーソナルコンピュータ等のクライアントＰＣである。クライアントＰＣ２００やクライアントＰＣ２０２は、ネットワーク３００を介して、ネットワーク複合機１００に接続される。ネットワーク３００は、たとえばＬＡＮ（Local Area Network）等のローカルネットワークとすることができる。
【００２０】
ネットワーク複合機１００は、通信制御部１０２、ログイン処理部１０４、シャットダウン制御部１０６、確認処理部１０８、電源切断指示受付部１１０、操作部１１２、ディスプレイ１１４、電源切断処理部１１６、ログイン情報記憶部１１８、および通知部１２０を含む。
【００２１】
通信制御部１０２は、ネットワーク３００を介してクライアントＰＣ２００やクライアントＰＣ２０２等とデータの送受信を行う。
【００２２】
ログイン処理部１０４は、ネットワーク複合機１００にアクセスするユーザから、当該ユーザのユーザＩＤやユーザ名等ユーザを特定する情報の入力を受け付ける。また、ログイン処理部１０４は、ユーザを特定する情報とともに、当該ユーザが利用しているクライアント端末を示す情報を取得する。ここで、クライアント端末を示す情報は、たとえば、クライアント端末のＩＰアドレスとすることができる。さらに、ログイン処理部１０４は、ネットワーク複合機１００にアクセスするユーザが実行している処理の種類を検出することができる。ＰＣプリント、ＦＡＸ送信、Ｉ−ＦＡＸ送信等の場合、クライアントＰＣ２００やクライアントＰＣ２０２等から送信されるコマンド中には、ユーザ情報や処理の種類が含まれる。ログイン処理部１０４は、このようなコマンドを解析することにより、ユーザが実行している処理の種類を検出することができる。また、クライアントＰＣ２００やクライアントＰＣ２０２等が、ネットワーク複合機１００のＨＴＴＰサーバ機能で提供されるサービスを利用している場合、ＨＴＴＰサーバ機能により処理の種類を判別することができる。
【００２３】
ログイン処理部１０４は、ネットワーク複合機１００にログインしているユーザを特定する情報、当該ユーザが利用しているクライアント端末を示す情報、および当該ユーザが実行している処理の種類等を互いに対応付けてログイン情報記憶部１１８に記憶する。
【００２４】
図２は、ログイン情報記憶部１１８の内部構成の一例を示す図である。
ログイン情報記憶部１１８は、ユーザＩＤ欄、ＩＰアドレス欄、および処理欄を含む。ここで、ユーザＩＤ「ｔａｎａｋａ」のユーザが利用しているクライアント端末のＩＰアドレスは「１９２．×××．×．×××」で、このユーザは一覧を閲覧している。また、ユーザＩＤ「ｓａｔｏ」のユーザが利用しているクライアント端末のＩＰアドレスは「１９２．×××．×．○×○」で、このユーザは文書を作成している。ログイン処理部１０４は、ユーザがログアウトしたら、当該ユーザに関する情報をログイン情報記憶部１１８から削除する。また、ログイン処理部１０４は、ユーザの処理内容が変わった場合、ログイン情報記憶部１１８を更新する。
【００２５】
図１に戻り、ディスプレイ１１４は、たとえば液晶ディスプレイとすることができる。ディスプレイ１１４は、各種情報表示、操作画面表示、ネットワーク複合機１００の動作や状態表示等を行う。操作部１１２は、ネットワーク複合機１００のユーザから各種設定および入力等の指示を受け付ける。操作部１１２は、たとえば、操作ボタン、スイッチ、レバー、キーボード、タッチパネル等である。
【００２６】
電源切断指示受付部１１０は、ネットワーク複合機１００の電源切断指示を受け付ける。電源切断指示受付部１１０は、操作部１１２を介してネットワーク複合機１００のユーザから電源切断指示を受け付けることができる。
【００２７】
シャットダウン制御部１０６は、電源切断指示受付部１１０が電源切断の指示を受け付けると、ログイン情報記憶部１１８を参照してログイン中のユーザの有無を検出し、ログイン中のユーザがいない場合にネットワーク複合機１００をシャットダウンする。一方、シャットダウン制御部１０６は、ログイン中のユーザがいる場合、確認処理部１０８に通知を行う。
【００２８】
確認処理部１０８は、ログイン中のユーザがいる場合、シャットダウン制御部１０６から通知を受け、当該ユーザを特定する情報とともにシャットダウンの可否の問い合わせをディスプレイ１１４に表示する。ここで、複数のユーザがログイン中の場合、確認処理部１０８は、ユーザ情報を特定する情報等をリストとして表示する。これにより、ネットワーク複合機１００のユーザが、クライアント端末のユーザに応じて、ネットワーク複合機１００のシャットダウンの可否を判断することができる。このとき、確認処理部１０８は、ユーザを特定する情報とともに、当該ユーザが利用しているクライアント端末を示す情報も対応付けてディスプレイ１１４に表示することができる。これにより、ネットワーク複合機１００のユーザが必要に応じて、対応するクライアント端末に切断可否を問い合わせること等ができる。
【００２９】
確認処理部１０８は、操作部１１２を介してネットワーク複合機１００のユーザからシャットダウンの可否の指示を受け付ける。確認処理部１０８は、シャットダウンが可能である指示を受け付けた場合に、シャットダウン制御部１０６にその旨を通知する。シャットダウン制御部１０６は、確認処理部１０８からの通知に基づき、ネットワーク複合機１００をシャットダウンする。
【００３０】
また、確認処理部１０８は、ユーザを特定する情報とともに、当該ユーザが実行している処理の種類をディスプレイ１１４に表示することもできる。これにより、ネットワーク複合機１００のユーザが、クライアント端末のユーザが実行している処理の種類に応じて、ネットワーク複合機１００のシャットダウンの可否を判断することができる。
【００３１】
電源切断処理部１１６は、シャットダウン制御部１０６によりネットワーク複合機１００がシャットダウンされた後に、ネットワーク複合機１００の電源を切断する処理を行う。
【００３２】
通知部１２０は、シャットダウン制御部１０６がシャットダウンを行うこと等をネットワーク複合機１００にログインしているユーザのクライアント端末に通知する。
【００３３】
図３は、本実施の形態におけるネットワーク複合機１００の処理手順を示すフローチャートである。
電源切断指示受付部１１０が電源切断指示を受け付けると（Ｓ１００のＹＥＳ）、シャットダウン制御部１０６は、ログイン情報記憶部１１８を参照して、ログインしているユーザをチェックする（Ｓ１０２）。ログインしているユーザがいない場合（Ｓ１０４のＮＯ）、シャットダウン制御部１０６は、シャットダウン処理を行う（Ｓ１１０）。このとき、通知部１２０は、ログインしているクライアント端末のユーザに通知を行ってもよい（不図示）。
【００３４】
シャットダウン処理が終了すると、シャットダウン制御部１０６は、電源切断処理部１１６に通知を行う。電源切断処理部１１６は、ネットワーク複合機１００の電源を切断する処理を行う。なお、本実施の形態において、電源切断処理部１１６は、ディスプレイ１１４に電源切断が可能であることを表示し、ユーザに電源を切断させるようにすることができる（Ｓ１１２）。
【００３５】
一方、ステップＳ１０４で、ログインしているユーザがいる場合（Ｓ１０４のＹＥＳ）、シャットダウン制御部１０６は、確認処理部１０８に通知を行う。確認処理部１０８は、ログイン情報記憶部１１８からユーザＩＤを読み出し、ユーザ名（ユーザＩＤ）とシャットダウンの可否の問い合わせとをディスプレイ１１４に表示する（Ｓ１０６）。ユーザがシャットダウンが可能であることを指示した場合（Ｓ１０８のＹＥＳ）、ステップＳ１１０に進み、シャットダウン制御部１０６は、シャットダウン処理を行う。
【００３６】
ステップＳ１０８でユーザからシャットダウンが可能であるとの指示があるまで、確認処理部１０８は、ディスプレイ１１４に待機状態であることを表示する。この間、シャットダウン制御部１０６は、シャットダウン処理を行わずに待機する（Ｓ１１４）。
【００３７】
本実施の形態におけるネットワーク複合機１００によれば、ネットワーク複合機１００の電源切断指示があったときに、他のクライアント端末からネットワーク複合機１００にログインしているユーザがいる場合に、ネットワーク複合機１００のユーザに所定の情報を提示して、シャットダウンの可否を確認する。そのため、ネットワーク複合機１００のユーザがクライアント端末のユーザに応じて、シャットダウンの可否を判断することができる。これにより、ネットワークに接続されたサーバであるネットワーク複合機１００の電源を切断する際に、クライアント端末のユーザの利便性を考慮しつつ、迅速な処理を行うことができる。
【００３８】
（第２の実施の形態）
図４は、本実施の形態におけるネットワーク複合機１００の構成を示すブロック図である。
本実施の形態において、ネットワーク複合機１００は、第１の実施の形態において図１を参照して説明した構成に加えて、保存処理部１２２、対処方法記憶部１２４、およびファイル記憶部１２８をさらに含む。
【００３９】
対処方法記憶部１２４は、クライアント端末からネットワーク複合機１００に接続して行う処理の種類と、電源切断指示受付部１１０が電源切断の指示を受け付けた場合の対処方法とを対応付けて記憶する。
【００４０】
本実施の形態においても、ネットワーク複合機１００は、第１の実施の形態で図３を参照して説明したのと同様の手順の処理を行う。ただし、本実施の形態において、ネットワーク複合機１００は、ステップＳ１０８でユーザからシャットダウンが可能であるとの指示が所定の時間内にない場合、ログイン情報記憶部１１８および対処方法記憶部１２４を参照して、ログイン中のユーザが実行している処理の種類に応じて、対応する対処を行う。
【００４１】
図５は、対処方法記憶部１２４の内部構成の一例を示す図である。
対処方法記憶部１２４は、処理の種類欄と、対処欄とを含む。処理の種類欄には、クライアント端末のユーザが実行し得る処理の種類が記憶される。ここでは、処理の種類として「閲覧」および「文書作成」が記憶されている。処理の種類「閲覧」には、対処として「シャットダウン」が対応付けられている。処理の種類「文書作成」には、対処として「保存後シャットダウン」が対応付けられている。
【００４２】
図３のステップＳ１０８において、ユーザからシャットダウンが可能であるとの指示がない場合（Ｓ１０８のＮＯ）、シャットダウン制御部１０６は、ログイン情報記憶部１１８を参照して、ネットワーク複合機１００にログインしているユーザが実行している処理の種類を把握する。つづいて、対処方法記憶部１２４を参照して、その処理に対応付けられた対処を行う。
【００４３】
たとえば、ネットワーク複合機１００にログインしているユーザがネットワーク複合機１００のデータを閲覧している場合、シャットダウン制御部１０６は、そのままシャットダウンを実行する。また、たとえばネットワーク複合機１００にログインしているユーザが文書作成を行っている場合、シャットダウン制御部１０６は、保存処理部１２２に通知を行う。保存処理部１２２は、その文書をファイル記憶部１２８に保存する。次いで、保存処理部１２２は、通知部１２０に、クライアント端末のユーザに文書の保存を行ったことを通知させる。また、他の例において、クライアント端末のユーザが文書作成を行っている場合、保存処理部１２２は、その文書をユーザのクライアント端末に保存させることもできる。以上の処理の終了後、シャットダウン制御部１０６は、シャットダウンを実行する。
【００４４】
以上のように、本実施の形態におけるネットワーク複合機１００によれば、クライアント端末のユーザが実行している処理に応じた対処がとられた後にシャットダウンを行うことができる。これにより、ネットワークに接続されたサーバであるネットワーク複合機１００の電源を切断する際に、クライアント端末のユーザの利便性を考慮しつつ、より迅速な処理を行うことができる。
【００４５】
（第３の実施の形態）
図６は、本実施の形態におけるネットワーク複合機１００の構成を示すブロック図である。
本実施の形態において、ネットワーク複合機１００は、第１の実施の形態において図１を参照して説明した構成に加えて、ユーザ情報記憶部１２６をさらに含む。
【００４６】
ユーザ情報記憶部１２６は、クライアント端末のユーザＩＤと、電源切断指示受付部１１０が電源切断の指示を受け付けた場合の対処方法とを対応付けて記憶する。本実施の形態においても、ネットワーク複合機１００は、第１の実施の形態で図３を参照して説明したのと同様の手順の処理を行う。ただし、本実施の形態において、ネットワーク複合機１００は、ステップＳ１０８でユーザからシャットダウンが可能であるとの指示が所定の時間内にない場合、ログイン情報記憶部１１８および対処方法記憶部１２４を参照して、ログイン中のユーザに応じて、対応する対処を行う。
【００４７】
以上のように、本実施の形態におけるネットワーク複合機１００によれば、クライアント端末のユーザに応じて、対処がとられた後にシャットダウンを行うことができる。これにより、ネットワークに接続されたサーバであるネットワーク複合機１００の電源を切断する際に、クライアント端末のユーザの利便性を考慮しつつ、より迅速な処理を行うことができる。
【００４８】
なお、以上の実施の形態の図１、図４および図６において、本発明の本質に関わらない部分の構成については省略してあり、たとえば印刷処理部等は示していない。図１、図４および図６に示したネットワーク複合機１００の各構成要素は、ハードウェア単位の構成ではなく、機能単位のブロックを示している。ネットワーク複合機１００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。
【００４９】
以上、図面を参照して本発明の実施形態について述べたが、これらは本発明の例示であり、上記以外の様々な構成を採用することもできる。
【００５０】
以上の実施の形態において、電源切断指示受付部１１０がネットワーク複合機１００の操作部１１２を介して電源切断指示を受け付ける構成を説明した。しかし、電源切断指示受付部１１０は、ネットワーク３００を介していずれかのクライアント端末からネットワーク複合機１００の電源切断指示を受け付けることもできる。この場合、確認処理部１０８は、ログイン中のユーザがいる場合、ユーザを特定する情報とシャットダウンの可否の問い合わせとをネットワーク３００を介して電源切断指示を行ったユーザのクライアント端末のディスプレイに表示することができる。また、この場合、確認処理部１０８は、ネットワーク３００を介して電源切断指示を行ったユーザのクライアント端末からシャットダウンが可能である指示を受け付けることができる。
【００５１】
また、以上の実施の形態において、図２に示したように、ログイン情報記憶部１１８が処理欄を含む構成を説明した。しかし、第１の実施の形態および第３の実施の形態において、ログイン情報記憶部１１８は、処理欄を含まない構成とすることもできる。
【００５２】
なお、第２の実施の形態において、保存処理部１２２が必要に応じて作成中の文書をファイル記憶部１２８やクライアント端末に保存する処理を説明したが、第１の実施の形態および第３の実施の形態においても、ネットワーク複合機１００が保存処理部１２２やファイル記憶部１２８を含む構成とすることができる。第１の実施の形態および第３の実施の形態においても、保存処理部１２２がユーザの指示に基づいて、またはシャットダウン制御部１０６の制御により、作成中の文書をファイル記憶部１２８やクライアント端末に保存するようにすることができる。
【図面の簡単な説明】
【００５３】
【図１】本発明の実施の形態におけるネットワーク複合機の構成を示すブロック図である。
【図２】ログイン情報記憶部の内部構成の一例を示す図である。
【図３】本発明の実施の形態におけるネットワーク複合機の処理手順を示すフローチャートである。
【図４】本発明の実施の形態におけるネットワーク複合機の構成を示すブロック図である。
【図５】対処方法記憶部の内部構成の一例を示す図である。
【図６】本発明の実施の形態におけるネットワーク複合機の構成を示すブロック図である。
【符号の説明】
【００５４】
１００  ネットワーク複合機
１０２  通信制御部
１０４  ログイン処理部
１０６  シャットダウン制御部
１０８  確認処理部
１１０  電源切断指示受付部
１１２  操作部
１１４  ディスプレイ
１１６  電源切断処理部
１１８  ログイン情報記憶部
１２０  通知部
１２２  保存処理部
１２４  対処方法記憶部
１２６  ユーザ情報記憶部
１２８  ファイル記憶部
２００  クライアントＰＣ
２０２  クライアントＰＣ
３００  ネットワーク
【図１】
2007288584.tif 000003
【図２】
2007288584.tif 000004
【図３】
2007288584.tif 000005
【図４】
2007288584.tif 000006
【図５】
2007288584.tif 000007
【図６】
2007288584.tif 000008